(57)【要約】【課題】テレビ視聴の妨害を低減しつつ、来客者を確認することができる受信装置を提供する。【解決手段】受信装置１０１において、表示モード記憶部１１８に、記憶されている表示モードが、来客名表示モードであった場合に、インターホン装置１３０に登録されている来客名の問い合わせを行い、来客名、来客画像をインターホン装置１３０より取得する。そして、取得した来客名、来客画像を視聴中の番組に重畳して表示部１０９に出力する。【選択図】図１
2009194529.tif 000002
【特許請求の範囲】
【請求項１】
外部のインターホン装置と接続可能な受信装置において、
放送信号を受信する受信手段と、
前記インターホン装置と通信する通信手段と、
前記通信手段を介して受信した前記インターホン装置からの来客情報に基いて来客画面を生成する来客画面生成手段と、
前記来客画面生成手段で生成する前記来客画面の表示モードを切り替える表示モード切替手段と、
前記表示モードに応じて、前記放送信号に基く放送映像に、前記来客情報に基く映像を重畳した前記来客画面を生成する合成手段とを有することを特徴とする受信装置。
【請求項２】
前記来客情報として、前記インターホン装置で撮影された来客画像と来客名とを有し、前記表示モードとして、前記来客画像を表示する画像表示モードと前記来客名を表示する来客名表示モードとを有し、
前記表示モード切替手段により前記画像表示モードに切り替えられている場合は、前記合成手段は、前記放送映像に前記来客画像を重畳した前記来客画面を生成し、
前記表示モード切替手段により前記来客名表示モードに切り替えられている場合は、前記合成手段は、前記放送映像に前記来客名を重畳した前記来客画面を生成することを特徴とする請求項１記載の受信装置。
【請求項３】
前記表示モード切替手段により前記来客名表示モードに切り替えられている場合であって、前記来客名が登録されていない場合は、前記合成手段は、前記放送映像に来客がある旨の表示を重畳した前記来客画面を生成することを特徴とする請求項２記載の受信装置。
【請求項４】
前記来客画像と前記来客名とを関連付けて登録するための来客登録画面を生成する来客登録画面生成手段を備えることを特徴とする請求項２記載の受信装置。
【請求項５】
外部のインターホン装置と接続可能な受信装置の制御方法において、
放送信号を受信する受信ステップと、
前記インターホン装置と通信する通信ステップと、
前記通信手段を介して受信した前記インターホン装置からの来客情報に基いて来客画面を生成する来客画面生成ステップと、
前記来客画面生成手段で生成する前記来客画面の表示モードを切り替える表示モード切替ステップと、
前記表示モードに応じて、前記放送信号に基く放送映像に、前記来客情報に基く映像を重畳した前記来客画面を生成する合成ステップとを有することを特徴とする受信装置の制御方法。
【発明の詳細な説明】
【技術分野】
【０００１】
本発明は、インターホン装置から送られてくる来客の画像を表示することができる受信装置及びその制御方法に関する。
【背景技術】
【０００２】
従来のインターホン装置は、ドアホン端末と宅内に配置された応答端末の２つの装置から構成されており、ドアホン端末のカメラで撮影した来訪者の画像を応答端末で確認することが可能であった。
【０００３】
また、インターホン親機によって来客者を特定することで、来客者の画像と名前等の情報をテレビに表示することができるインターホン装置が提案されている（特許文献１）。
【特許文献１】特開２００７−１０４３８３号公報
【発明の開示】
【発明が解決しようとする課題】
【０００４】
しかしながら、上述した従来の技術では、視聴者の要望の如何に依らず、テレビ画面に来客者の画像等が表示されることになり、来客者を確認するために、テレビ視聴を妨げるという課題があった。
【０００５】
本発明の目的は、テレビ視聴の妨害を低減しつつ、来客者を確認することができる受信装置及びその制御方法を提供することにある。
【課題を解決するための手段】
【０００６】
上記目的を達成するために、請求項１記載の受信装置は、外部のインターホン装置と接続可能な受信装置において、放送信号を受信する受信手段と、前記インターホン装置と通信する通信手段と、前記通信手段を介して受信した前記インターホン装置からの来客情報に基いて来客画面を生成する来客画面生成手段と、前記来客画面生成手段で生成する前記来客画面の表示モードを切り替える表示モード切替手段と、前記表示モードに応じて、前記放送信号に基く放送映像に、前記来客情報に基く映像を重畳した前記来客画面を生成する合成手段とを有することを特徴とする。
【０００７】
請求項５記載の受信装置の制御方法は、外部のインターホン装置と接続可能な受信装置の制御方法において、放送信号を受信する受信ステップと、前記インターホン装置と通信する通信ステップと、前記通信手段を介して受信した前記インターホン装置からの来客情報に基いて来客画面を生成する来客画面生成ステップと、前記来客画面生成手段で生成する前記来客画面の表示モードを切り替える表示モード切替ステップと、前記表示モードに応じて、前記放送信号に基く放送映像に、前記来客情報に基く映像を重畳した前記来客画面を生成する合成ステップとを有することを特徴とする。
【発明の効果】
【０００８】
本発明の受信装置によれば、テレビ視聴を妨害すること無く、来客者を確認することが可能となる。
【発明を実施するための最良の形態】
【０００９】
以下、本発明の実施の形態を図面を参照しながら詳細に説明する。
【００１０】
（第１の実施の形態）
図１は、インターホン装置に接続された本発明の第１の実施の形態に係る受信装置のブロック構成図である。
【００１１】
図１において、インターホン装置１３０と接続可能な受信装置１０１とインターホン装置１３０とで受信システムが構成される。
【００１２】
以下、受信装置１０１の各処理部についてその構成を動作と併せて説明する。
【００１３】
チューナ１０２（放送信号を受信する受信手段）は、Ｌ１０１で示すアンテナまたはケーブルテレビ回線を介して入力されたデジタル放送信号を受信する。デスクランブラ１０３は、信号線Ｌ１０３を介して入力されるチューナ１０２で受信した信号に対して復調処理、誤り訂正処理を施し、トランスポートストリーム（ＴＳ）を生成する。
【００１４】
デコーダ１０４は、デスクランブラ１０３から出力され信号線Ｌ１０４を介して入力される映像信号、音声信号及び番組情報をデコード（復号化）する。合成部１０８は、映像信号を合成し、信号線Ｌ１０８を介して表示部１０９に出力する。
【００１５】
合成対象となるのは、信号線Ｌ１２４から入力される、デコーダ１０４にてデコードされ、スケーラ１１９で拡大・縮小された映像信号と、信号線Ｌ１１２から入力される来客登録画面生成部１１２で生成された来客登録画面の映像信号である。
【００１６】
来客登録画面生成部１１２は、来客画像と来客名とを関連付けて登録するための来客登録画面を生成する来客登録画面生成手段して機能する。
【００１７】
また、合成対象となるのは、信号線Ｌ１２４から入力される、デコーダ１０４にてデコードされ、スケーラ１１９で拡大・縮小された映像信号と、信号線Ｌ１１５から入力される来客画面生成部１１７で生成される来客画面の映像信号である。
【００１８】
来客画面生成部１１７は、通信部１１３を介して受信したインターホン装置１３０からの来客情報に基いて来客画面を生成する来客画面生成手段として機能する。
【００１９】
来客登録画生成部１１２により生成された来客登録画面に、ユーザが来客名の入力を行うと、入力された来客名は、来客名１次保存部１２０に保存される。来客名１次保存部１２０に保存された来客名は、来客登録画面終了後に、通信部１１３を介してインターホン装置１３０に送信される。
【００２０】
表示部１０９は、信号線Ｌ１０８より入力される合成部１０８により合成された映像信号をＬＣＤ（Liquid Crystal Display）やＰＤＰ（Plasma Display Panel）等のディスプレイ装置を用いて表示する処理部である。
【００２１】
番組情報解析部１０７は、信号線Ｌ１０６を介して入力される、デコーダ１０４によりデコードされた番組情報の解析を行う。番組終了検出部１０６は、信号線Ｌ１０７を介して入力される、番組情報解析部１０７で解析された番組情報より現在視聴中の番組終了時刻を検出する。
【００２２】
番組情報解析部１０７で解析された番組情報とは、イベント（番組）名（event_id）、放送開始時刻（start_time）、番組継続時間（duration）等が記述されるイベント情報テーブル（ＥＩＴ：Event Information Table）を含む。
【００２３】
番組終了検出部１０６は、イベント情報テーブルの番組開始時刻に番組継続時間加算した値より番組終了時刻を判断することで、番組終了を検出する。
【００２４】
リモコン受信部１０５は、赤外線信号等の信号Ｌ１０２から入力されるリモコンコードを受信するための受信部である。リモコンコード解析部１１０は、リモコン受信部１０５で受信した信号を信号線Ｌ１０９を経由して取得し、入力されたリモコン信号のリモコンコードを解析するための処理部である。
【００２５】
登録画面表示判断部１１１は、番組終了検出部１０６より信号線Ｌ１１０を介して通知される番組終了時を取得することで、登録画面を表示する／しないの判断を行う処理部である。
【００２６】
また、登録画面表示判断部１１１は、リモコンコード解析部１１０より信号線Ｌ１１１を介して通知される電源ＯＦＦを押されたことの通知を取得することで、登録画面を表示する／しないの判断を行う処理部である。
【００２７】
また、登録画面表示判断部１１１は、通信部（インターホン装置１３０と通信する通信手段）１１３により取得したインターホン装置１３０の来客者情報を、信号線Ｌ１１３を介して取得することで登録画面を表示する／しないの判断を行う処理部である。
【００２８】
来客登録画面生成部１１２は、通信部１１３によりインターホン装置１３０より取得した来客の画像を、信号線Ｌ１１６より取得して来客登録画面を生成する。来客登録の処理については後述する。
【００２９】
通信部１１３は、信号線Ｌ１２５を介して、インターホン装置１３０の通信部１３３と通信を行う。通信のインターフェースとしては、電力線を通信回線として使用するＰＬＣ（Power  line Communications）を用いる。
【００３０】
通信部１１３は、来客がインターホン装置１３０の図示しない呼び出しボタンを押した際に、インターホン装置１３０が送信する来客通知の受信や、インターホン装置１３０の図示しないカメラで撮影した画像の受信を行う。
【００３１】
また、通信部１１３は、インターホン装置１３０へ、来客通知で通知された来客が、インターホン装置１３０の来客データベース１３１に登録済みか登録済みでないかの問い合わせを行う。
【００３２】
表示モード切替部１１４は、来客画面生成部１１７にて生成する来客通知の表示モードを切り替える処理を行う。表示モードは、来客名表示モードと画像表示モードの２つを持つ。
【００３３】
表示モード切替部１１４は、来客画面生成部１１７で生成する来客画面の表示モードを切り替える表示モード切替手段として機能する。また、合成部１０８は、表示モードに応じて、放送信号に基く放送映像に、来客情報に基く映像を重畳した来客画面を生成する合成手段として機能する。
【００３４】
図２にそれぞれの表示モードを示す。
【００３５】
図２（ａ）は、画像表示モードであり、表示部１０９に、受信した放送画像（放送映像）２０２を縮小して表示し、インターホン装置１３０から送信され、映像信号抽出部１１６で抽出された来客画像（来客映像）２０３を表示する。
【００３６】
図２（ｂ）は、来客名表示モードであり、表示部１０９に、来客者の名前と来客がある旨の表示２０５をテキスト形式にて放送画像２０２に重畳して表示する。受信した放送画像２０２にテキスト形式の表示２０５を重畳することで、視聴中の受信映像サイズの縮小等による視聴の妨げを低減しつつ、来客者の確認が可能となる。
【００３７】
また、図２（ｃ）は、図２（ｂ）と同様に、来客名表示モードであるが、来客データベース１３１に該当人物が登録されていない場合の表示２０６の例である。
【００３８】
テキスト生成部１１５は、通信部１１３より取得した来客者の情報から表示モードが、来客名表示モード時に表示する表示２０５で示すようなテキストデータの生成を行う。通信部１１３がインターホン装置１３０に問い合わせを行った結果、来客者の情報が来客データベース１３１に登録済みであれば、登録されている名前を使用して、表示２０５のように「○○さんがご来客です」と表示する。これにより、来客の来客画像２０３を確認することなく来客の確認を行うことができる。
【００３９】
来客者の情報が来客データベース１３１に未登録であれば、図２（ｃ）の表示２０６で示すように、「ご来客です」等、来客がある旨のテキストデータを作成する。
【００４０】
映像信号抽出部１１６は、インターホン装置１３０が、信号線Ｌ１２５により送信してくるインターホン装置１３０の後述するカメラ部４０２で撮影された来客者の映像信号の抽出を行い、信号線Ｌ１２０を介して来客画面生成部１１７に送信する。
【００４１】
来客画面生成部１１７は、現在の表示モードの問い合わせを表示モード記憶部１１８に対して行う。そして、来客画面生成部１１７は、表示モードが来客名表示モードの場合は、テキスト生成部１１５より信号線Ｌ１１８を介して取得したテキストデータを使用して、図２（ｂ）の表示２０５で示すようなテキストデータが重畳された画面を生成する。
【００４２】
また、来客画面生成部１１７は、現在の表示モードの問い合わせを表示モード記憶部１１８に対して行う。そして、来客画面生成部１１７は、表示モードが画像表示モードの場合は、映像信号抽出部１１６より信号線Ｌ１２０を介して取得した来客画像２０３を使用して、来客画面を生成する。
【００４３】
表示モード記憶部１１８は、表示モード切替部１１４で切り替えられた表示モードを、信号線Ｌ１２６を介して取得し、表示モードを記憶する。また、表示モード記憶部１１８は、通信部１１３や来客画面生成部１１７に、現在の表示モードをそれぞれ信号線Ｌ１２１、信号線Ｌ１２３を介して通知する。
【００４４】
スケーラ１１９は、デコーダ１０４でデコードした映像信号を信号線Ｌ１０５より取得して、表示部１０９の表示サイズに伸張・縮小を行う。但し、表示モード記憶部１１８に記憶されているモードが、画像表示モード時に来客画面を表示する場合については、図２（ａ）の放送画像２０２を縮小して表示を行う。
【００４５】
インターホン装置１３０は、来客の名前や画像等を記憶管理する来客データベース１３１、来客画像を１次的に保存するための来客画像１次保存部１３２を備える。また、インターホン装置１３０は、外部機器と通信するためのインターフェースである通信部１３３、来客者を認識、特定するための画像認識部１３４を備える。
【００４６】
図３は、図１の受信装置によって実行される来客画面表示処理の手順を示すフローチャートである。尚、一部、受信装置１０１側の問いかけに応答して行うインターホン装置１３０側の処理を含む。
【００４７】
来客Ａが、図４で示すインターホン端末４０１の呼び出しボタン４０３を押すと、インターホン装置１３０から信号線Ｌ１２５を介して、通信部１１３に来客Ａがインターホンを押したことを通知する「来客通知」を送信する。同時に、インターホン端末４０１は、呼び出しボタン４０３を押されたことにより、カメラ部４０２で来客の撮影を開始する。
【００４８】
インターホン装置１３０は、カメラ部４０２で撮影された画像を、信号線Ｌ１２５を介して、通信部１１３に送信する。受信装置１０１の通信部１１３は、来客通知を受信すると（ステップＳ３０１）、表示モード記憶部１１８に現在の表示モードが「来客名表示モード」か「画像表示モード」かの問い合わせを行う（ステップＳ３０２）。
【００４９】
表示モードが、来客名表示モードであった場合（ステップＳ３０３でＹＥＳ）、通信部１１３より信号線Ｌ１２５を介して、インターホン装置１３０に、来客Ａの人物名の問い合わせを行う（ステップＳ３０４）。
【００５０】
インターホン装置１３０内にある来客データベース１３１に該当人物が登録されている場合（ステップＳ３０５がＹＥＳ）は、インターホン装置１３０は、通信線Ｌ１２５を介して、受信装置１０１へ人物名を送信する。来客データベースへの来客の登録方法については後述する。
【００５１】
この時、受信装置１０１は、インターホン装置１３０の送出した来客名を通信部１１３にて受信する（ステップＳ３０６）。テキスト生成部１１５では、通信部１１３で取得した来客名を、信号線Ｌ１１７を介して取得し、表示部１０９へ表示するためのテキストデータ「○○さんがご来客です」を生成する（ステップＳ３０７）。
【００５２】
受信装置１０１が、インターホン装置１３０に来客Ａの人物名の問い合わせを行い、インターホン装置１３０内にある来客データベース１３１に該当人物が登録されていない場合（ステップＳ３０５でＮＯ）、テキスト生成部１１５では、表示部１０９へ表示するためのテキストデータ「ご来客です」を生成する（ステップＳ３０８）。
【００５３】
テキストデータが生成されると、来客画面生成部１１７が、テキストデータを表示部１０９に表示するための来客画面を生成する。来客画面生成部１１７が来客画面を生成すると、合成部１０８が、生成された来客画面を、信号線Ｌ１２４を介して取得した放送画像２０２と合成して表示部１０９に出力する（ステップＳ３０９）。
【００５４】
来客画面を表示すると、受信装置１０１は、図示しないリモコンからのリモコンキーの入力待ちの状態となる（ステップＳ３１０）。リモコンからのキー入力があり、そのキーが「戻る」キーであった場合（ステップＳ３１１で「戻る」）、表示部１０９に表示している表示２０５、２０６のテキストデータを消去して（ステップＳ３１２）、来客画面を終了する。
【００５５】
また、インターホン装置１３０より受信装置１０１に来客通知があり、現在の表示モードを、表示モード記憶部１１８に記憶してある表示モードにより確認した結果、「来客名表示モード」でなく、「画像表示モード」であった場合は、以下の処理となる。
【００５６】
即ち、ステップＳ３０３でＮＯの場合は、図２（ａ）の来客画像２０３をテレビ画面に表示する。
【００５７】
また、「来客名表示モード」であった場合で、キー入力待ち中に「決定」キーが入力された場合（ステップＳ３１１で「決定」）、図２（ａ）の来客画像２０３で示すように、テレビ画面（表示部１０９）に来客の映像を表示する。
【００５８】
そのために、信号線Ｌ１２５を介してインターホン装置１３０より入力されている、インターホン端末４０１のカメラ部４０２で撮影されている映像を映像信号抽出部１１６において来客画像２０３を抽出する（ステップＳ３１３）。
【００５９】
また、チューナ１０２より入力される放送信号の映像は、図２（ａ）の放送画像２０２で示す通り、縮小して表示する必要がある。通常時は、放送信号のハイビジョン映像は、図５（ａ）に示すように、表示部１０９の表示サイズと同じ水平方向１９２０ドット、垂直方向１０８０ラインのサイズで表示を行うために、スケーラ１１９は、拡大・縮小処理を実施しない。
【００６０】
しかし、来客画像２０３を表示部１０９に表示する場合は、図５（ｂ）に示すように、スケーラ１１９は、水平方向１２８０ドット、垂直方向７２０ラインのサイズに放送信号の映像（放送画像２０２）を縮小する（ステップＳ３１４）。
【００６１】
来客画面生成部１１７では、映像信号抽出部１１６にて抽出した、インターホン装置１３０から送信されてくる、カメラ部４０２で撮影した来客の映像を作成する。具体的には、来客画面生成部１１７は、図５（ｂ）の来客画像２０３で示すように、水平サイズ３６０、垂直サイズ２４０で表示するためのデータを作成する。
【００６２】
そして、合成部１０８は、信号線Ｌ１２４から入力される水平サイズ１２８０、垂直サイズ７２０の放送画像２０２と、信号線Ｌ１１５より入力される水平サイズ３６０、垂直サイズ２４０の来客画像２０３を合成する。その後、図２（ａ）で示す放送画像２０２と来客画像２０３を合成した映像（画像）を表示部１０９へ出力する（ステップＳ３１５）。
【００６３】
本実施の形態では、放送画像２０２を表示部１０９へ出力するサイズを水平サイズ１２８０、垂直サイズ７２０、来客画像２０３を表示部１０９へ出力するサイズを水平サイズ３６０、垂直サイズ２４０としたが、表示サイズは、これに限定されない。また、来客画像２０３を放送画像に重ねて表示を行ってもよい。
【００６４】
図２（ａ）で示す放送画像２０２と来客画像２０３を合成した映像（画像）を表示部１０９へ出力中に、「戻る」ボタンの入力をリモコン受信部１０５により受信した場合（Ｓ３１６でＹＥＳ）、来客画面生成部１１７は来客画像２０３の生成を停止する。そして、合成部１０８は、信号線Ｌ１２４より入力される放送波の映像信号（放送画像２０２）のみを表示部１０９へ出力する。
【００６５】
スケーラ１１９は、信号線Ｌ１０５から入力される映像出力を縮小していた設定を、縮小を解除した状態に設定することで、放送波の映像信号を元のサイズに戻す（ステップＳ３１８）。
【００６６】
このように、来客通知の画像表示モードが来客名表示モードであった場合に、ＰＬＣ等によって接続されているインターホン装置１３０に来客者のデータの問い合わせを行い、来客者名を取得し、来客者名を視聴中番組の映像に重畳して表示する。これにより、映像視聴の妨害を低減しつつ、来客者の確認を行うことが可能となる。
【００６７】
次に受信装置１０１において、来客を来客データベース１３１に登録する処理について説明する。
【００６８】
図６は、図１の受信システムによって実行される来客を来客データベースに登録する来客登録処理の手順を示すフローチャートである。
【００６９】
図６のフローチャートの説明の前に、インターホン装置１３０の動作について説明する。
【００７０】
来客がインターホン端末４０１の呼び出しボタン４０３を押すと、インターホン端末４０１のカメラ部４０２により来客が撮影され、インターホン装置１３０の来客画像１次保存部１３２に来客の画像が保存される。
【００７１】
また、来客画像１次保存部１３２には、来客データベース１３１に未登録の来客の画像７２１〜７２４が、データを一意に識別するためのＩＤ７０１〜７０４と、登録確認済みか登録確認未実施かの情報（状態７３１〜７３４）と共に保存されている。登録確認済み／登録確認未実施の状態７３１〜７３４は、受信装置１０１からの通知により決定される。
【００７２】
図６において、受信装置１０１は、番組終了時と、図示しないリモコンの電源ＯＦＦボタンの入力時に登録処理を開始する（ステップＳ６０１）。番組終了検出部１０６における番組終了時刻は、番組情報より取得した放送開始時刻に番組継続時間を加算した値より判断する。
【００７３】
番組終了検出部１０６が、現在、ユーザが視聴している番組の終了を検出すると（ステップＳ６０２でＹＥＳ）、ステップＳ６２０に移行する。ステップＳ６２０では、受信装置１０１は、通信部１１３より信号線Ｌ１２５を介してインターホン装置１３０に未登録客ある／なしの問い合わせを行う。
【００７４】
インターホン装置１３０は、未登録客の人数、ＩＤ７０１〜７０４とそれぞれのＩＤ７０１〜７０４に対応する画像７２１〜７２４、状態７３１〜７３４を受信装置１０１に送信する。ＩＤ７０１〜７０４は、上述したように、来客画像１次保存部１３２に保存されている来客を一意に識別するための識別子である。
【００７５】
また、画像７２１〜７２４は、来客がインターホン端末４０１の呼び出しボタン４０３を押した時に、カメラ部４０２により撮影した映像をキャプチャしたものである。
【００７６】
本実施の形態では、この画像は１枚であるが、来客１名に対して副数枚保持していてもよいし、動画像として保持していてもよい。また、状態７３１〜７３４とは、上述したように、受信装置１０１にて「登録確認済み」／「登録確認未実施」か否かを示す情報であり、来客訪問時に来客画像１次保存部１３２に保存される際には、「登録確認未実施」として保存される。
【００７７】
この時、インターホン装置１３０の来客画像１次保存部１３２に保存されている来客に、図７で示すようにＩＤ７０１〜７０４が保存されている場合は、人数は４人、ＩＤは、００１、００２、００３、００４となっている。
【００７８】
この時、ＩＤ７０１（００１）の来客の画像は、画像７２１であり、状態は、「登録確認済み」７３１である。また、ＩＤ７０２（００２）の来客の画像は、画像７２２であり、状態は、「登録確認未実施」７３２である。
【００７９】
ＩＤ７０３（００３）の来客の画像は、画像７２３であり、状態は、「登録確認未実施」７３３である。ＩＤ７０４（００４）の来客の画像は、画像７２４であり、状態は、「登録確認未実施」７３４である。ＩＤ７０１〜７０４は、来客データを一意に指定するためのＩＤであり、一意に指定できるものであれば、どうような数値が設定されていてもよい。
【００８０】
インターホン装置１３０に問い合わせの結果、未登録者がある場合（ステップＳ６２１でＹＥＳ）があり、かつ、登録確認未実施客がある場合（ステップＳ６２２でＹＥＳ）、登録画面表示判断部１１１は、登録画面を表示すると判断する。
【００８１】
登録画面を表示すると判断すると、来客登録画面生成部１１２は、来客登録画面を生成し、合成部１０８により表示部１０９に来客登録画面を出力する（ステップＳ６２３）。
【００８２】
未登録者が図７のＩＤ７０１〜７０４であった場合、状態が登録確認未実施である、ＩＤ７０２の登録確認画面を表示する。
【００８３】
図８は、来客登録画面生成部１１２が生成する来客登録画面の例を示している。表示部１０９の来客登録画面８０１に登録確認を行う来客画像２０３が表示される。この場合は、ＩＤ７０２が００２の画像７２２を表示する。
【００８４】
登録するボタン８０３は、来客画像２０３に表示する人物を来客データベース１３１に保存する場合に選択するボタンである。登録しないボタン８０４は、来客画像２０３に表示する人物を来客データベース１３１に保存しない場合に選択するボタンである。あとで登録ボタン８０５は、来客画像２０３に表示する人物を後ほど登録する場合に選択するボタンである。
【００８５】
来客登録画面８０１の表示中に、ユーザが、登録するボタン８０３を選択した場合（ステップＳ６２４でＹＥＳ）、来客登録画面生成部１１２は、図９で示す来客名入力画面９０１の生成を行い、ユーザに名前の入力を促す。
【００８６】
表示部１０９の来客名入力画面９０１には、来客データベース１３１に登録する来客画像２０３が表示される。エリア９０３は入力した名前の表示を行う。また、リモコンによりキー９０４のアルファベットを選択することで名前の入力を実施する。完了ボタン９０５を選択することで名前入力を完了する。
【００８７】
このように、ユーザは、来客名入力画面９０１により来客名を入力する（ステップＳ６２５）。入力された来客名は、来客名１次保存部１２０に保存される。
【００８８】
ユーザが、来客名の入力を完了し来客名登録画面９０１を終了すると、受信装置１０１は、通信部１１３により信号線Ｌ１２５を介して、インターホン装置１３０に来客のデータベース登録要求を送信する。また、それと同時に、受信装置１０１は、登録する来客のＩＤ、来客名入力画面９０１により入力され、来客名１次保存部１２０に保存されている人物名を送信する（ステップＳ６２６）。
【００８９】
例えば、受信装置１０１が、インターホン装置１３０に、図７のＩＤ７０２（００２）の来客の登録要求を送信した場合、ＩＤ７０２（００２）のデータは、入力された名前と共に来客データベース１３１へ登録される。
【００９０】
登録完了後、来客画像１次保存部１３２に保存されているデータは、図１０で示すように、ＩＤ７０１（００１）の来客とＩＤ７０３（００３）の来客、ＩＤ７０４（００４）の来客の３つのデータとなる。
【００９１】
ＩＤ７０２（００２）のデータの登録要求が完了し、ＩＤ７０１、７０３、７０４で示すような未登録客があり（ステップＳ６２１でＹＥＳ）、ＩＤ７０３、７０４で示すような登録未実施客がある場合（ステップＳ６２２でＹＥＳ）は、以下の処理を実行する。即ち、その場合、来客登録画面生成部１１２は、再び来客登録画面８０１を表示する（ステップＳ６２３）。
【００９２】
但し、表示する来客画像２０３は、ＩＤ７０３（００３）の来客の画像７２３を表示する。この時、来客登録画面８０１にて、ユーザが、登録しないボタン８０４を選択した場合（ステップＳ６２４でＮＯ、Ｓ６２７でＮＯ）、受信装置１０１は以下の処理を行う。
【００９３】
即ち、受信装置１０１は、通信部１１３により信号線Ｌ１２５を介して、インターホン装置１３０に、来客画像１次保存部１３２に保存しているＩＤ７０３（００３）のデータの削除要求を送信する（ステップＳ６２９）。
【００９４】
削除要求を受信したインターホン装置１３０は、ＩＤ７０３（００３）の来客データを来客画像１次保存部１３２より削除する。この時、来客画像１次保存部１３２に保存されている来客データは、図１１に示すように、ＩＤ７０１（００１）、ＩＤ７０４（００４）の２つである。
【００９５】
図１１に示すように、ＩＤ７０１（００１）、ＩＤ７０４（００４）の未登録客があり（ステップＳ６２１でＹＥＳ）、ＩＤ７０４（００４）の登録未実施客がある場合（ステップＳ６２２がＹＥＳ）、来客登録画面生成部１１２は以下の処理を行う。即ち、来客登録画面生成部１１２は、再び来客登録画面８０１を表示する（ステップＳ６２３）。但し、来客画像２０３は、ＩＤ７０４（００４）の来客の画像７２４を表示する。
【００９６】
この時、来客登録画面８０１にて、ユーザが、あとで登録ボタン８０５を選択した場合（Ｓ６２４でＮＯで、Ｓ６２７でＹＥＳ）、受信装置１０１は、通信部１１３により信号線Ｌ１２５を介して、インターホン装置１３０に変更要求を送信する。即ち、来客画像１次保存部１３２に保存しているＩＤ７０４（００４）の状態を「登録確認未実施」７３４から「登録確認済み」７３１に変更要求を送信する。
【００９７】
変更要求を受信したインターホン装置１３０は、図１１のＩＤ７０４（００４）の来客データの状態「登録確認未実施」７３４から図１２のＩＤ７０４（００４）の来客データの状態「登録確認済み」１２０１に変更する（ステップＳ６２８）。
【００９８】
図１２のように、ＩＤ７０４（００４）のデータの状態変更要求が完了し、ＩＤ７０１（００１）、ＩＤ７０４（００４）で示すような未登録客があり（ステップＳ６２１でＹＥＳ）、登録未実施客がない場合（ステップＳ６２２でＮＯ）、以下の処理を行う。
【００９９】
即ち、受信装置１０１は、再び、番組終了検出部１０６からの番組終了検出とリモコンコード解析部１１０での電源ＯＦＦの検出を待つ状態（ステップＳ６０１）に移行する。
【０１００】
また、インターホン装置１３０に、来客画像１次保存部１３２に未登録客がいる／いないの問い合わせを行い、問い合わせの結果、未登録客がいない場合（ステップＳ６２１でＮＯ）も、同様に処理する。即ち、受信装置１０１は、番組終了検出部１０６からの番組終了検出とリモコンコード解析部１１０での電源ＯＦＦの検出を待つ状態（ステップＳ６０１）に移行する。
【０１０１】
番組終了を検出した場合（ステップＳ６０２でＹＥＳ）の、来客データベース１３１への来客を登録する処理フローについて、図７のＩＤ７０１〜７０４の来客データが、来客画像１次保存部１３２に保存されている場合について説明した。
【０１０２】
図１３に登録処理前と後の状態を示す。図１３（ａ）は、登録処理前の状態であり、データ１３０１は、来客画像１次保存部１３２に保存されているＩＤ７０１（００１）〜７０４（００４）のデータを示す。図１３（ｂ）、（ｃ）、（ｄ）は、登録処理後の状態を示しており、データ１３０２は、来客データベース１３１にＩＤ７０２（００２）のデータが追加されている。データ１３０３は、来客画像１次保存部１３２に保存されているデータを示しており、ＩＤ７０４（００４）の状態が、「登録確認未実施」から「登録確認済み」に変更になっている。データ１３０４は、削除されたデータであるＩＤ７０３（００３）を示している。
【０１０３】
図１３のデータ１３０３で示すように、来客画像１次保存部１３２にＩＤ７０１（００１）、ＩＤ７０４（００４）のように、未登録データはあるが、登録確認未実施のデータがない場合（ステツプＳ６２２でＮＯ）には、以下のようになる。
【０１０４】
即ち、番組終了を検出した場合（ステップＳ６０２でＹＥＳ）でも、番組終了を検出する度に、表示部１０９に来客登録画面が表示されることはなく、ユーザに必要以上の操作を求めることがなくなる。
【０１０５】
一方、リモコンコード解析部１１０で、電源ＯＦＦボタンを押されたことを検出すると（ステップＳ６０２でＮＯ、Ｓ６０３でＹＥＳ）、受信装置１０１は、以下の処理を行う。即ち、受信装置１０１は、通信部１１３により、信号線Ｌ１２５を介して、インターホン装置１３２に未登録客データのある／なしの問い合わせを行う（ステップＳ６０４）。
【０１０６】
インターホン装置１３０は、未登録客の人数、ＩＤとそれぞれのＩＤに対応する画像、状態を受信装置１３０に送信する。問い合わせの結果、図１４のＩＤ７０１（００１）、ＩＤ７０４（００４）、ＩＤ７０６（００６）の３つのデータが、来客画像１次保存部１３２に格納されているとする。
【０１０７】
ここでは、未登録データがある場合（ステップＳ６０５でＮＯ）は、データの状態「登録確認済み」／「登録確認未実施」に係わらず、図８の来客登録画面８０１を表示する（ステップＳ６０６）。
【０１０８】
データの状態に依存することなく来客登録画面８０１を表示することで、番組終了時の登録処理にて、図８のあとで登録ボタン８０５を選択して、「登録確認済み」となったデータに対しても登録処理を実施することになる。
【０１０９】
つまり、図１４のように未登録データＩＤ７０１（００１）、ＩＤ７０４（００４）、ＩＤ７０６（００６）がある場合（ステップＳ６０５でＮＯ）は、ＩＤ７０１（００１）のデータから順に来客登録画面８０１の表示を行う（ステップＳ６０６）。
【０１１０】
図８の登録するボタン８０３を選択された場合（ステップＳ６０７がＹＥＳ）、受信装置１０１は、来客名入力画面９０１を表示部１０９に表示する。ユーザは、来客名入力画面９０１の入力インターフェースにより来客名を入力する（ステップＳ６０８）。入力された来客名は、来客名１次保存部１２０に保存される。
【０１１１】
ユーザが、来客名の入力を完了し来客登録画面８０１を終了すると、受信装置１０１は、通信部１１３により信号線Ｌ１２５を介して、インターホン装置１３０に、来客のデータベース登録要求と登録する来客のＩＤを送信する。また、これと同時に、受信装置１０１は、インターホン装置１３０に、来客名入力画面９０１により入力され、来客名１次保存部１２０に保存されている人物名を送信する（ステップＳ６０９）。
【０１１２】
一方、来客登録画面８０１にて、ユーザが、登録しないボタン８０４を選択した場合（ステップＳ６０７でＮＯ、Ｓ６１０でＮＯ）、受信装置１０１は、通信部１１３により信号線Ｌ１２５を介して、データの削除要求を送信する（ステップＳ６１２）。削除要求を受信したインターホン装置１３０は、該当する来客データを来客画像１次保存部１３２より削除する。
【０１１３】
一方、来客登録画面８０１にて、ユーザが、あとで登録ボタン８０５を選択した場合（ステップＳ６０７でＮＯ、Ｓ６１０でＹＥＳ）、受信装置１０１は以下の処理を実行する。
【０１１４】
即ち、受信装置１０１は、通信部１１３により信号線Ｌ１２５を介して、インターホン装置１３０に、来客画像１次保存部１３２に保存している来客データの状態が「登録確認未実施」であれば、「登録確認実施済み」に変更要求を送信する。
【０１１５】
変更要求を受信したインターホン装置１３０は、該当する来客データの状態を「登録確認未実施」から「登録確認済み」に変更する（ステップＳ６１１）。来客画像１次保存部１３２に保存している来客データの状態が既に「登録確認済み」であれば、受信装置１０１は、インターホン装置１３０に変更要求を送信しない。
【０１１６】
このように、「登録確認済み」となった来客画像１次保存部１３２に保存している来客データ（来客画像２０３）は、次回、電源ＯＦＦボタンが入力された際に再び、来客登録画面８０１に表示して、ユーザに来客登録の問い合わせを実施する。
【０１１７】
全ての来客画像１次保存部１３２に保存してある未登録データの登録確認が完了すると（ステップＳ６０５でＹＥＳ）、受信装置１０１は、電源ＯＦＦ処理を実施する（ステップＳ６１３）。
【０１１８】
本実施の形態では、電源ＯＦＦボタン入力時に、来客登録画面８０１を表示し、来客の登録の確認を行った。しかし、この来客登録処理を無視して受信装置１０１の電源をＯＦＦするために、来客登録画面８０１を表示中に、再度電源ＯＦＦボタンを入力することで、来客登録処理を終了してもよい。
【０１１９】
また、来客名は、受信装置１０１の来客名１次保存部１２０に、来客者のＩＤと共に保存しておき、インターホン装置１３０は、来客者のＩＤと画像を来客データベースに登録しておくようにしてもよい。そして、来客者名表示モードの際に、インターホン装置１３０に来客者のＩＤの問い合わせを行い、来客者のＩＤのみを取得することで、来客者名のテキスト表示を行ってもよい。
【０１２０】
また、本実施の形態では、番組終了時刻を検出することで、来客登録処理を開始したが、番組終了時刻を検出した上で、番組終了時刻より一定時間前に、来客登録処理を開始してもよい。
【０１２１】
また、この一定時間は、受信装置１０１が初期値として内部に保有している値であるが、ユーザが自由に設定することも可能である。これは、本実施の形態では、番組情報より取得した放送開始時刻に番組継続時間加算した値より番組終了時刻を判断しているが、この時刻には次の番組が開始していることがあるためである。
【０１２２】
また、本実施の形態では、番組終了時刻を検出することで、来客登録処理を開始した。しかし、放送信号の１６：９から４：３へのアスペクト比の変化や、１９２０×１０８０から７２０×４８０等への解像度の変化を検出することによりＣＭを検出することで、来客登録処理を開始してもよい。但し、このときは、ＣＭ放送を縮小表示して、来客登録画面に重畳して表示することで、放送事業者の意図を妨げることなく、来客登録を可能とする。
【０１２３】
以上説明したように、本実施の形態では、受信装置１０１の来客通知画像表示モードが、来客名表示モードであった場合に、インターホン装置１３０に来客名の問い合わせを行うことで、来客名を取得する。そして、表示部１０９の下部等、番組視聴の妨げになり難い個所に、来客名をテキスト形式にて表示を行うことで、テレビ視聴を遮る領域が少なくなり、テレビ視聴の妨害を低減しつつ、来客者を確認することが可能となる。
【０１２４】
また、インターホン装置１３０への問い合わせの結果、来客者名が取得できなかった場合には、番組終了等や電源ＯＦＦボタンを検出するタイミングで、ユーザに来客登録を促すことで、視聴の妨げを低減しつつ、来客登録漏れを防止することが可能となる。
【０１２５】
（第２の実施の形態）
図１５は、インターホン装置に接続された本発明の第２の実施の形態に係る受信装置のブロック構成図である。
【０１２６】
図１５の受信装置１５０１において、図１の第１の実施の形態の受信装置１０１と異なる点は、記憶部１５０２が備わっている点である。
【０１２７】
番組終了を検出し、来客登録処理開始時に、表示部１０９にて来客登録画面８０１の表示を開始すると、デスクランブラ１０３でスクランブルを解除された信号を、信号線Ｌ１５０１を経由して記憶部１５０２に保存する。
【０１２８】
そして、来客登録処理を完了し、来客登録画面８０１を消去すると、記憶部１５０２にて保存されている放送信号を、信号線Ｌ１５０２を経由してデコーダ１０４に入力し、ここで、１．５倍速でデコードし、映像を表示部１０９に出力する。
【０１２９】
また、音声も同様に図示しないスピーカより出力する。この間もデスクランブラ１０３から記憶部１５０２にスクランブルを解除された信号が送信され、記憶部１５０２に保存される。
【０１３０】
そして、記憶部１５０２に記憶されている信号を１．５倍速で視聴し、現在の放送中の番組に追い付くと、デコーダ１０４は、デスクランブラ１０３からの信号を信号線Ｌ１０４から入力し、通常の速度でデコードを開始する。
【０１３１】
以上説明したように、第２の実施の形態では、インターホン装置１３０への問い合わせの結果、来客者名が取得できなかった場合の来客登録に関して、来客登録中の放送画面を一時的に記録する。これにより、放送番組を見逃すこと無く、インターホン装置１３０への来客の登録が可能となるため、視聴の妨げを低減しつつ、来客者を確認することが可能となる。
【図面の簡単な説明】
【０１３２】
【図１】インターホン装置に接続された本発明の第１の実施の形態に係る受信装置のブロック構成図である。
【図２】図１の受信装置の表示モード毎の来客画面を示す図である。
【図３】図１の受信装置によって実行される来客画面表示処理の手順を示すフローチャートである。
【図４】図１のインターホン装置を構成するインターホン端末の外観図である。
【図５】図１の受信装置の来客表示動作の説明図である。
【図６】図１の受信システムによって実行される来客をデータベースに登録する来客登録処理の手順を示すフローチャートである。
【図７】図１の受信装置の来客登録動作の説明図である（１）。
【図８】図１の受信装置の来客登録画面を示す図である。
【図９】図１の受信装置の来客名入力画面を示す図である。
【図１０】図１の受信装置の来客登録動作の説明図である（２）。
【図１１】図１の受信装置の来客登録動作の説明図である（３）。
【図１２】図１の受信装置の来客登録動作の説明図である（４）。
【図１３】図１の受信装置の来客登録動作の説明図である（５）。
【図１４】図１の受信装置の来客登録動作の説明図である（６）。
【図１５】インターホン装置に接続された本発明の第２の実施の形態に係る受信装置のブロック構成図である。
【符号の説明】
【０１３３】
１０１、１５０１  受信装置
１０２  チューナ
１０９  表示部
１１２  来客登録画面生成部
１１３  通信部
１１４  表示モード切替部
１１５  テキスト生成部
１１６  映像信号抽出部
１１７  来客画面生成部
１１８  表示モード記憶部
１３０  インターホン装置
１３１  来客データベース
１３２  来客画像１次保存部
１３３  通信部
１３４  画像認識部
１５０２  記憶部
【図１】
2009194529.tif 000003
【図２】
2009194529.tif 000004
【図３】
2009194529.tif 000005
【図４】
2009194529.tif 000006
【図５】
2009194529.tif 000007
【図６】
2009194529.tif 000008
【図７】
2009194529.tif 000009
【図８】
2009194529.tif 000010
【図９】
2009194529.tif 000011
【図１０】
2009194529.tif 000012
【図１１】
2009194529.tif 000013
【図１２】
2009194529.tif 000014
【図１３】
2009194529.tif 000015
【図１４】
2009194529.tif 000016
【図１５】
2009194529.tif 000017